(57)【特許請求の範囲】
【請求項１】
対向する橋台間に掛け渡されたケーブルに沿って、所定数のＰＣ床版ユニットを送出して架設する吊床版橋の送出し架設工法であって、
一方の橋台側から他方の橋台側に向けて順次ＰＣ床版ユニットを送り出す際に、最後尾に位置するＰＣ床版ユニットに新たに接合するＰＣ床版ユニットを、それらＰＣ床版ユニットに設けられたシース管同士を接合キーを用いて軸方向に合致させて、順次接合するとともに、
先頭のＰＣ床版ユニットの先端部に、このＰＣ床版ユニットを前記他方の橋台側に向けて引き出して送り出す送出しワイヤを連結し、
前記新たに接合するＰＣ床版ユニットの後端部に、前記一方の橋台側に向けて引張力を作用させることができる引止めワイヤを連結し、
前記引止めワイヤと送出しワイヤの引張力を調節しつつ前記ＰＣ床版ユニットを送り出して、前記橋台間に所定数のＰＣ床版ユニットを架設し、その後各ＰＣ床版ユニットに設けられたシース管にＰＣワイヤを挿通して緊張することにより、前記所定数のＰＣ床版ユニットにプレストレスを導入することを特徴とする吊床版橋の送出し架設工法。
【請求項２】
請求項１記載の吊床版橋の送出し架設工法において、引止めワイヤの取付は、
ＰＣ床版ユニットの送り出し方向における中心軸を境にして、左右２箇所に引止めワイヤが連結された最後尾に位置するＰＣ床版ユニットに、新たに接合されるＰＣ床版ユニットを順次接合し、一方の橋台側から他方の橋台側に向けて送り出す際に、新たに接合されるＰＣ床版ユニットの後端部で、ＰＣ床版ユニットの送り出し方向における中心軸を境にして、左右どちらか一方に引止めワイヤを連結し、これと同じ側で最後尾に位置するＰＣ床版ユニットにすでに取り付けられている引止めワイヤを取りはずすとともに、新たに接合されるＰＣ床版ユニットの後端部における左右どちらか他方にこの引止めワイヤを連結し、常に接合されたＰＣ床版ユニット全体の後部には、ＰＣ床版ユニットの送り出し方向における中心軸を境にして、左右両方に前記引止めワイヤが連結されていることを特徴とする吊床版橋の送出し架設工法。
【発明の詳細な説明】
【０００１】
【発明の属する技術分野】
対向する橋台間に掛け渡されたケーブルに沿って、一方の橋台側から他方の橋台側に向けて、所定数のＰＣ床版ユニットを送出して架設する吊床版橋の架設工法において、先頭のＰＣ床版ユニットの先端部に、このＰＣ床版ユニットを前記他方の橋台側に向けて引き出して送り出す送出しワイヤを連結するとともに、最後尾のＰＣ床版ユニットの後端部に、前記一方の橋台側に向けて引張力を作用させることができる引止めワイヤを連結する、吊床版橋の送出し架設工法に関する。
【０００２】
【従来の技術】
従来より、橋台間に架設される橋本体を多数に分割してなるＰＣ床版ユニットを予め工場等で製造し、現場にて接合することにより橋を構築する橋の架設方法の一例として、橋台間にケーブルを掛け渡し、このケーブルに沿って所定数のＰＣ床版ユニットを引き出すとともに、隣接するＰＣ床版ユニット同士を突き合わせて接合する、突き合わせ方式が用いられている。
【０００３】
この方式は、図５に示すように、一方の橋台５１側から他方の橋台５２側に向けて順次ＰＣ床版ユニット５４を送り出す際に、前方のＰＣ床版ユニット５４ａに最後尾のＰＣ床版ユニット５４ｂを接合するが、接合キーを介して各ＰＣ床版ユニット５４に設けられたシース管どうしを軸方向に合致させて、順次接合する。さらに、先頭のＰＣ床版ユニット５４ａには、前記一方の橋台側に向けて引張力を作用させることができる引止めワイヤ５５が連結されるとともに、最後尾のＰＣ床版ユニット５４ｂには、このＰＣ床版ユニットを前記他方の橋台側に向けて引止めて送り出す送出しワイヤ５６が連結されて、前記ケーブル５３に沿って送り出される接合されたＰＣ床版ユニット全体５７に引張力が作用しないように、前記引止めワイヤ５５と送出しワイヤ５６の引張力を調節しつつ、前記一方の橋台５１、及び他方の橋台５２の間に所定数のＰＣ床版ユニット５４を架設する。
その後、各ＰＣ床版ユニット５４に設けられたシース管にＰＣ鋼線を挿通して緊張することにより、前記所定数のＰＣ床版ユニット５４にプレストレスを導入するものである。
【０００４】
このような方法では、接合されたＰＣ床版ユニット全体５７に引張力が作用しないため、隣り合うＰＣ床版ユニット５４間に隙間が発生して目違い不陸が生じる惧れがなく、ＰＣ床版ユニット５４へのプレストレスの伝達をスムーズに行うことが可能となる。また、一方の橋台５１、及び他方の橋台５２の間に吊り足場を必要とせず、さらには隣り合うＰＣ床版ユニット５４どうしの間を詰める際の配筋、型枠、コンクリート打設が全く必要ないので、経済的にしかも安全に架設作業を行うことができるものである。
【０００５】
【発明が解決しようとする課題】
しかしながら、この方法では吊床版橋のスパンが長大化した際には、接合されたＰＣ床版ユニット全体５７に作用する二次モーメントが増大し、架設時の吊床版下面に引張応力が発生するため、架設時に作用する二次モーメントに抵抗するためにＰＣ鋼材を追加する必要が生じる。
【０００６】
本発明は、上記事情に鑑みてなされたもので、吊床版橋のスパンが長大化した際にも接合されたＰＣ床版ユニット全体５７に作用する二次モーメントを零にすることが可能な吊床版橋の送出し架設工法を提供することを目的としている。
【０００７】
【課題を解決するための手段】
請求項１記載の発明は、対向する橋台間に掛け渡されたケーブルに沿って、所定数のＰＣ床版ユニットを送出して架設する吊床版橋の送出し架設工法であって、
一方の橋台側から他方の橋台側に向けて順次ＰＣ床版ユニットを送り出す際に、最後尾に位置するＰＣ床版ユニットに新たに接合するＰＣ床版ユニットを、それらＰＣ床版ユニットに設けられたシース管同士を接合キーを用いて軸方向に合致させて、順次接合するとともに、
先頭のＰＣ床版ユニットの先端部に、このＰＣ床版ユニットを前記他方の橋台側に向けて引き出して送り出す送出しワイヤを連結し、
前記新たに接合するＰＣ床版ユニットの後端部に、前記一方の橋台側に向けて引張力を作用させることができる引止めワイヤを連結し、
前記引止めワイヤと送出しワイヤの引張力を調節しつつ前記ＰＣ床版ユニットを送り出して、前記橋台間に所定数のＰＣ床版ユニットを架設し、その後各ＰＣ床版ユニットに設けられたシース管にＰＣワイヤを挿通して緊張することにより、前記所定数のＰＣ床版ユニットにプレストレスを導入することを特徴としている。
【０００８】
請求項２記載の発明は、引止めワイヤの取付が、ＰＣ床版ユニットの送り出し方向における中心軸を境にして、左右２箇所に引止めワイヤが連結された最後尾に位置するＰＣ床版ユニットに、新たに接合されるＰＣ床版ユニットを順次接合し、一方の橋台側から他方の橋台側に向けて送り出す際に、新たに接合されるＰＣ床版ユニットの後端部で、ＰＣ床版ユニットの送り出し方向における中心軸を境にして、左右どちらか一方に引止めワイヤを連結し、これと同じ側で最後尾に位置するＰＣ床版ユニットにすでに取り付けられている引止めワイヤを取りはずすとともに、新たに接合されるＰＣ床版ユニットの後端部における左右どちらか他方にこの引止めワイヤを連結し、常に接合されたＰＣ床版ユニット全体の後部には、ＰＣ床版ユニットの送り出し方向における中心軸を境にして、左右両方に前記引止めワイヤが連結されていることを特徴としている。
【０００９】
【発明の実施の形態】
以下、本発明に吊床版橋の送出し架設工法の実施形態について、図１〜図３を用いて説明する。
図１に示すように、本発明に係る吊床版橋の送出し架設工法は、一方の橋台１と他方の橋台２の間に掛け渡されたケーブル３に沿って送り出される接合されたＰＣ床版ユニット全体７のうち、最後尾のＰＣ床版ユニット４ｂには引止めワイヤ５が連結されるとともに、先頭のＰＣ床版ユニット４ａには、送出しワイヤ６が連結されている。
【００１０】
まず、本発明に係る吊床版橋の送出し架設工法を説明する前に、その工法に使用するＰＣ床版ユニット４について説明する。図３は、ＰＣ床版ユニット４を示す斜視図、図４は同平面図であり、これらの図において符号１１はユニット本体を示す。このユニット本体１１は工場等で製作されたコンクリート製のものであり、その上面には一対の凹溝１２、１２が平行離間して形成されている。この溝１２は後述するケーブル３が挿通されるもので、該ケーブル３の長手方向に延在している。
【００１１】
前記各凹溝１２にはその底面に、３個の固定用治具１３…が凹溝１２の長手方向中央部と、両端部に着脱自在に取り付けられている。この固定用治具１３は、橋台間に掛け渡されたケーブル３の所定位置に、前記ユニット本体１１を固定するためのものである（図３参照）。
【００１２】
その構成を示すと、凹溝１２の底面でその幅方向に図示しないインサートナットが所定間隔離間して埋設されている。これらインサートナットにはそれぞれ図示しないボルトが螺合され、これらボルトを跨ぐようにして、鋼製板状の固定板１６が配設され、この固定板１６の左右両端部はそれぞれ前記ボルトに挿通されている。さらに、前記ボルトには固定板１６を上下に挟むようにして調整ナット１７が螺合されており、これら調整ナット１７によって固定板１６の凹溝１２の底面からの高さを調整し、該固定板１６をボルトの所定高さ位置に固定するようになっている（図４参照）。
【００１３】
そして、上記構成の固定用治具１３において、固定板１６と凹溝１２の底面との間に前記ケーブル３が挿通され、その所定位置で、調整ナット１７により固定板１６を凹溝１２の底面側に移動させることによって、固定板１６と凹溝１２の底面とによってケーブル３、３を挟み付けることにより、ＰＣ床版ユニット４をケーブル３の所定位置に固定している（図３参照）。
【００１４】
また、前記各凹溝１２の底面には、２個の架設用治具１４、１４が、前記凹溝１２の両端部に取り付けられた固定用治具１３、１３の内側に隣接して、着脱自在に取り付けられている。この架設用治具１４は、前記ユニット本体１１を前記ケーブル３に移動自在に支持するためのものである（図３参照）。
【００１５】
その構成は、前記凹溝１２の幅方向両端部に、対をなす支持ブロック２６、２６と、これらの中央部に支持板２７が立設されている。前記対をなす支持ブロック２６、２６間には、円柱状の支持ロッド２８が凹溝１２の底面と平行にかつ支持板２７を貫通して配設され、この支持ロッド２８はその両端部が支持ブロック２６、２６に支持固定され、中央部が支持板２７に支持固定されている（図４参照）。
【００１６】
前記支持ロッド２８には、一方の支持ブロック２６と支持板２７との間、および他方の支持ブロック２６と支持板２７との間において、それぞれ滑車１５、１５が外挿されており、各滑車１５の両端面中央部には、該滑車１５を支持ロッド２８回りに回転自在に支持する図示しないベアリングが嵌入されている。そして、前記ケーブル３、３は滑車１５、１５と凹溝１２の底面との間に挿通され、該ケーブル３、３上を滑車１５、１５が転動することによって、前記ユニット本体１１がケーブル３上に沿って移動するようになっている（図３参照）。
【００１７】
また、前記ユニット本体１１には、図３、図４に示すように、前記凹溝１２、１２の間において当該凹溝１２と平行に延びる７本のシース管２３と、凹溝１２、１２の外側において当該凹溝１２、１２と平行に延びる２本のシース管２３、２３とがユニット本体１１を貫通して設けられている。さらに、図３に示すように、ユニット本体１１の端面には、連結ボルト１９を挿通するためのスリーブ２０、２０が設けられている。
【００１８】
このスリーブ２０の一方の開口端面はユニット本体１１の端面と面一にされ、他方の開口端面はユニット本体１１の上面に形成された孔２１に開口している。そして、連結ボルト１９によって隣り合うユニット本体１１どうしを接合する場合には、一方のユニット本体１１に連結ボルト１９を該ユニット本体１１の端面から突出させて挿通しておき、隣り合うユニット本体１１どうしの端面を突き合わせるとともに、突出している連結ボルト１９を他方のユニット本体１１の端面に挿通して、連結ボルト１９に、前記孔２１から支圧板１９ａとナット２２を取り付けて締め付けることにより行う。
【００１９】
さらに、図３、図４に示すように、隣り合うユニット本体１１どうしの突き合わされる一方の端面には、オス型のキー１８ａがその端部をユニット本体１１の端面から突出させて埋設されており、他方の端面には前記オス型のキー１８ａ，１８ａに凹凸嵌合するメス型のキー１８ｂ，１８ｂがその孔をユニット本体１１の端面に開口させて埋設されている。そして、これらオス型とメス型のキー１８ａ，１８ｂからなる接合キー１８では、ユニット本体１１、１１どうしを接合する際に、オス型のキー１８ａとメス型のキー１８ｂを嵌合することによって、前記軸方向に対向するシース管２３、２３が互いの軸線を合致して突き合わされるようになっている。
【００２０】
また、前記ユニット本体１１には、図４に示すように、凹溝１２、１２の底面にそれぞれ２個ずつ吊り治具３０が設けられている。この吊り治具３０はユニット本体１１を、橋の構築現場にてケーブル３が掛け渡された所定の高さまで、吊り上げるためのものであり、クレーン等のフックが係合され、ユニット本体１１が所定の位置にセットされた後は、取り外されるものである。なお、ユニット本体１１の凹溝１２、１２より外側の上面には、橋の欄干を設置するための、設置孔２４が所定間隔で形成されている（図３参照）。
【００２１】
次に、上記構成のＰＣ床版ユニット４を用いた吊床版橋の送出し架設工法について説明する。まず、橋を架設するための橋台（一方の橋台１、他方の橋台２）を構築する。次に、一方の橋台１の内側に、ＰＣ床版ユニット４の連結組立作業をするための足場８を組み立てる。この足場８は、一方の橋台１より側方に突出して、ＰＣ床版ユニット４が仮置きされる図示しない仮置き場を備えている（図１（ａ）参照）。
【００２２】
次に、一方の橋台１、他方の橋台２の間に、４本のケーブル３を掛け渡し、それらの両端部を橋台１、２の所定の位置に固定する。これらケーブル３はＰＣ床版ユニット４を一方の橋台１から他方の橋台２に向けて順次送り出すためのもので、通常、鋼撚り線で形成されている。また、ケーブル３は下凸になるように若干弛ませておく（図１（ａ）参照）。
【００２３】
次に、現場に搬入されたＰＣ床版ユニット４を、クレーン等によって吊り上げて仮置き場に載置する。この時、ＰＣ床版ユニット４には前記固定用治具１３と架設用治具１４は取り付けられていない。そして、仮置き場に載置されたＰＣ床版ユニット４を、ケーブル３の下方位置８ａに、当該ケーブル３とＰＣ床版ユニット４の上面に形成された凹溝１２、１２とが対向するようにして搬入すると、ＰＣ床版ユニット４を若干上昇させて前記凹溝１２、１２にケーブル３をそれぞれ２本ずつ、かつケーブル３が凹溝１２、１２の底面に接する直前位置まで挿入する。このＰＣ床版ユニット４の搬入、上昇作業は、例えば、足場８にコンベアとリフト装置とを設置して行えばよい。
【００２４】
凹溝１２、１２にケーブル３が挿入されたならば、前記固定用治具１３と架設用治具１４とを凹溝１２、１２の底面の所定位置に所定個数取り付ける。この際、架設用治具１４の滑車１５、１５の外周底面が、固定用治具１３の固定板１６より下方になるようにセットする。また、先頭のＰＣ床版ユニット４ａの上面には、先端部の左右の２箇所に左フック２９ａ、右フック２９ｂを取り付けるとともに、前記他方の橋台２の上面に設置された巻き取りコイル９に、巻き取り自在に巻き付けられた第１の送出しワイヤ６ａ、第２の送出しワイヤ６ｂの先端を前記左フック２９ａ、右フック２９ｂに連結する。
なお、送出しワイヤ６はＰＣ床版ユニット４を他方の橋台２側に向けて引き出して送り出すものであり、巻き取りコイル９によりその引張力が調整できるようになっている。
また、先頭のＰＣ床版ユニット４ａの上面で後端部の左右に左フック２９ｃ、右フック２９ｄを取り付けるとともに、前記一方の橋台１の上面に設置された巻き出しコイル１０に巻き出し自在に巻き付けられた第１の引止めワイヤ５ａ、第２の引止めワイヤ５ｂの先端を前記左フック２９ｃ、右フック２９ｄに連結する（図２（ａ）参照）。
【００２５】
その後、リフト装置を降下させることによって、前記滑車１５、１５にケーブル３が下方から接し、これによって、先頭のＰＣ床版ユニット４ａはケーブル３に、当該ケーブル３と固定板１６とが接しない状態で吊り下げられる。この際、先頭のＰＣ床版ユニット４ａは、第１の引止めワイヤ５ａ、第２の引止めワイヤ５ｂによりケーブル３に沿う下り移動が防止される。また、前記仮置き場に次に取り付ける後方に位置するＰＣ床版ユニット４ｂを吊り上げて載置しておく。
【００２６】
次に、第１の引止めワイヤ５ａ、第２の引止めワイヤ５ｂを巻き出すとともに、第１の送出しワイヤ６ａ、第２の送出しワイヤ６ｂを巻き取り、先頭のＰＣ床版ユニット４ａを自重によって１ピッチ（ＰＣ床版ユニット４の長さ分）だけケーブル３に沿って移動させる。この移動は、前記滑車１５がケーブル３上を転動することにより行われるので、摩擦が殆どなく、スムーズに行われる。そして、前記仮置き場８ａに載置された次の最後尾のＰＣ床版ユニット４ｂを上記と同様にしてケーブル３に吊り下げた後、前方に位置する先頭のＰＣ床版ユニット４ａに以下のようにして接合する。
【００２７】
隣り合う先頭のＰＣ床版ユニット４ａ、及び最後尾のＰＣ床版ユニット４ｂの端面どうしを突き合わせた接合面にエポキシ系の樹脂（接着剤）を塗布した後、接合キー１８を合わせ、その後、先頭のＰＣ床版ユニット４ａの端面から連結ボルト１９を出させて挿通し、この先頭のＰＣ床版ユニット４ａと最後尾のＰＣ床版ユニット４ｂの端面を突き合わせ、突出している連結ボルト１９を最後尾のＰＣ床版ユニット４ｂの端面に挿通して、この連結ボルト１９の両端に、各ＰＣ床版ユニット４に形成された孔２１から支圧板１９ａとナット２２を取り付けて締め付けることにより、隣り合う先頭のＰＣ床版ユニット４ａ、及び最後尾のＰＣ床版ユニット４ｂは、その間の目違い不陸が生じることなく、確実かつ強固に接合される。また、この接合の際には、隣り合うＰＣ床版ユニット４にそれぞれ埋設貫通されたシース管２３は軸方向に合致する（図４参照）。
【００２８】
一方、最後尾のＰＣ床版ユニット４ｂの上面における後端部に、左フック２９ｅ、右フック２９ｆを取り付け、一方の橋台１の上面に設置された巻き出しコイル１０に、巻き出し自在に巻き付けられた第３の引止めワイヤ５ｃの先端を前記右フック２９ｆに連結する（図２（ｂ）参照）。次に第２の引止めワイヤ５ｂを先頭のＰＣ床版ユニット４ａの前右フック２９ｆから取り外し、最後尾のＰＣ床版ユニット４ｂの前記左フック２９ｅにかけ直す（図２（ｃ）参照）。
これら第１の引止めワイヤ５ａ、第２の引止めワイヤ５ｂ、第３の引止めワイヤ５ｃは、ＰＣ床版ユニット４が自重によって、ケーブル３に沿って下り移動するのを引止めるものであり、巻き出しコイル１０によって、ＰＣ床版ユニット４を一方の橋台１側に引っ張る引張力を調整できるようになっている。
【００２９】
次に、隣り合う先頭のＰＣ床版ユニット４ａ、最後尾のＰＣ床版ユニット４ｂどうしの接合が終了したならば、第１の送出しワイヤ６ａ、第２の送出しワイヤ６ｂを他方の橋台２側に巻き取るとともに、第１の引止めワイヤ５ａ、第２の引止めワイヤ５ｂ、第３の引止めワイヤ５ｃを巻き出して、接合されたＰＣ床版ユニット全体７を１ピッチだけ移動させ、同時に、さらに新たに接合されるＰＣ床版ユニット４ｃを仮置き場に載置する。その後、上記と同様にしてこの新たに接合されるＰＣ床版ユニット４ｃを先の最後尾のＰＣ床版ユニット４ｂに接合するとともに（図２（ｄ）参照）、先頭のＰＣ床版ユニット４ａに連結されている第１の引止めワイヤ５ａを、新たに接合されるＰＣ床版ユニット４ｃの右フック２９ｈに連結するとともに（図２（ｅ）参照）、最後尾のＰＣ床版ユニット４ｂに連結されていた第３の引止めワイヤ５ｃを新たに接合されるＰＣ床版ユニット４ｃの左フック２９ｇに連結する。
【００３０】
なお、本実施例では引き止めワイヤ５を３本用いたが、本数はこれに限ることなく、さらに該引き止めワイヤ５の架け替え順序についても左右どちらからでも良い。さらに、前記フック２９の設置位置は、ＰＣ床版ユニットの送り出し方向における中心軸を境にした左右に最低１箇所づつ取り付けられていれば、個数や位置もこれに限るものではない。
【００３１】
このような隣り合うＰＣ床版ユニット４を接合するとともに引止めワイヤ５を連結していく工程と、さらに次に接合するＰＣ床版ユニット４を仮置き場に載置して、ケーブル３に吊り下げる工程とを所定回数繰り返し行うことによって、一方の橋台側１から他方の橋台２側に向けて順次ＰＣ床版ユニット４を接合しつつ送り出す。
【００３２】
このＰＣ床版ユニット４の送出しの際においては、前記引止めワイヤ５と送出しワイヤ６とを、ケーブル３…に沿って送り出される接合されたＰＣ床版ユニット全体７に過度な引張力が作用しないように、各ワイヤの引張力を巻き出しコイル１０、巻き取りコイル９によって調節しつつ行う。一方の橋台１からケーブル３の長手方向中央部までは、下り移動になるので引止めワイヤ５の引張力を、送出しワイヤ６の引張力より大きくし（図１（ｂ）参照）、逆にケーブル３…の中央部から他方の橋台２までは上り移動になるので（図１（ｃ）参照）、送出しワイヤ６の引張力を、引止めワイヤ５の引張力より大きく設定する。
【００３３】
このようにして、所定数のＰＣ床版ユニット４…を一方の橋台１及び他方の橋台２間に送出した後、ケーブル３…を緊張して、接合されたＰＣ床版ユニット全体７の中央部が両端部より所定のサグ量ｆだけ下方になるように配置し、各ＰＣ床版ユニット４に取り付けられた固定治具１３の固定板１６を図示しない調整ナットによって締め付けて、ケーブル３を固定板１６と凹溝１２の底面とによって挟み付け、これによって接合されたＰＣ床版ユニット全体７をケーブル３…の所定位置に固定する。
【００３４】
次に、一方の橋台１及び他方の橋台２に上記多数の接合されたＰＣ床版ユニット全体７の先頭と最後尾を連結するための、図示しない連結部を通常の現場打ちコンクリートにて形成する。この場合、他方の橋台２に作業用の足場を組み立てるが、これは、連結部を形成する前であれば、どの時期に行ってもよい。その後、前記連結部に接合されたＰＣ床版ユニット全体７の先頭と最後尾を連結するが、この連結は、隣り合うＰＣ床版ユニット４どうしの連結の場合と同様に、連結ボルトと接着剤とによって行ってもよいし、他の方法を用いて行ってもよい。また、移動の際に使用した架設用治具１４はＰＣ床版ユニット４…から全て取り外す。
【００３５】
次に、一方の橋台１及び他方の橋台２に連結された前記接合されたＰＣ床版ユニット全体７の上面に、図１において波線で示すように、凹溝１２を埋めるようにしてコンクリートを打設し該接合されたＰＣ床版ユニット全体７の上面を平坦にし、最後にＰＣ床版ユニット４に埋設貫通されたシース管２３にＰＣワイヤ２５を挿通して緊張することにより、これらＰＣ床版ユニット４にプレストレスを導入することによって、橋の架設を終了する。
【００３６】
なお、前記引止めワイヤ５、送出しワイヤ６はＰＣ床版ユニット４の送出しが完了した時点の後、適当な時期に撤去する。また、前記ではＰＣ床版ユニット４１を送り出す前に固定用治具１３を取り付けたが、この固定用治具１３は送出しが完了した時点で取り付けてもよい。
【００３７】
上述する構成によれば、送出しワイヤ６が前記接合されたＰＣ床版ユニット全体７の先頭に連結されるとともに、最後尾に引止めワイヤ５が連結されるため、ＰＣ床版ユニット全体７に曲げモーメントが作用しないため、架設時の抵抗に耐えることを目的としたＰＣワイヤ２５の追加等を行う必要がない。
【００３８】
前記接合されたＰＣ床版ユニット全体７の先頭には、ケーブル３の連結方向から見て常に左右に２本の送出しワイヤ６が連結されているとともに、最後尾には３本の引止めワイヤ５を用いることにより常に左右にそれぞれ少なくとも１本の引止めワイヤ５が連結されているため、引止めワイヤ５の架け替え時にも常にケーブル３の連結方向から見て左右に引止めワイヤ５が連結されていることから、接合されたＰＣ床版ユニット全体７に対して、ねじれの作用を防止することができる。
【００３９】
【発明の効果】
請求項１記載の吊床版橋の送出し架設工法によれば、対向する橋台間に掛け渡されたケーブルに沿って、所定数のＰＣ床版ユニットを送出して架設する吊床版橋の送出し架設工法であって、一方の橋台側から他方の橋台側に向けて順次ＰＣ床版ユニットを送り出す際に、最後尾に位置するＰＣ床版ユニットに新たに接合するＰＣ床版ユニットを、それらＰＣ床版ユニットに設けられたシース管同士を接合キーを用いて軸方向に合致させて、順次接合するとともに、先頭のＰＣ床版ユニットの先端部に、このＰＣ床版ユニットを前記他方の橋台側に向けて引き出して送り出す送出しワイヤを連結し、前記新たに接合するＰＣ床版ユニットの後端部に、前記一方の橋台側に向けて引張力を作用させることができる引止めワイヤを連結し、前記引止めワイヤと送出しワイヤの引張力を調節しつつ前記ＰＣ床版ユニットを送り出して、前記橋台間に所定数のＰＣ床版ユニットを架設し、その後各ＰＣ床版ユニットに設けられたシース管にＰＣワイヤを挿通して緊張することにより、前記所定数のＰＣ床版ユニットにプレストレスを導入することから、送出しワイヤが前記接合されたＰＣ床版ユニット全体の先頭に連結されるとともに、最後尾に引止めワイヤが連結されるため、ＰＣ床版ユニット全体に曲げモーメントが作用しないため、架設時の抵抗に耐えることを目的としたＰＣワイヤの追加等を行う必要がない。
【００４０】
請求項２記載の吊床版橋の送出し架設工法によれば、引止めワイヤの取付が、ＰＣ床版ユニットの送り出し方向における中心軸を境にして、左右２箇所に引止めワイヤが連結された最後尾に位置するＰＣ床版ユニットに、新たに接合されるＰＣ床版ユニットを順次接合し、一方の橋台側から他方の橋台側に向けて送り出す際に、新たに接合されるＰＣ床版ユニットの後端部で、ＰＣ床版ユニットの送り出し方向における中心軸を境にして、左右どちらか一方に引止めワイヤを連結し、これと同じ側で最後尾に位置するＰＣ床版ユニットにすでに取り付けられている引止めワイヤを取りはずすとともに、新たに接合されるＰＣ床版ユニットの後端部における左右どちらか他方にこの引止めワイヤを連結し、常に接合されたＰＣ床版ユニット全体の後部には、ＰＣ床版ユニットの送り出し方向における中心軸を境にして、左右両方に前記引止めワイヤが連結されていることから、前記接合されたＰＣ床版ユニット全体の先頭には、ケーブルの連結方向から見て常に左右に２本の送出しワイヤが連結されているとともに、最後尾には３本の引止めワイヤを用いることにより常に左右にそれぞれ少なくとも１本の引止めワイヤが連結されているため、引止めワイヤの架け替え時にも常にケーブルの連結方向から見て左右に引止めワイヤが連結されており、接合されたＰＣ床版ユニット全体に対して、ねじれの作用を防止することができる。
【図面の簡単な説明】
【図１】  本発明に係る吊床版橋の送出し架設工法の詳細を示す図である。
【図２】  本発明に係るＰＣ床版ユニットに連結する引止めワイヤの連結方法の詳細を示す図である。
【図３】  本発明に係るＰＣ床版ユニットの詳細を示す図である。
【図４】  本発明に係るＰＣ床版ユニットの詳細を示す図である。
【図５】  従来の吊床版橋の送出し架設工法を示す図である。
【符号の説明】
１  一方の橋台
２  他方の橋台
３  ケーブル
４  ＰＣ床版ユニット
４ａ  先頭のＰＣ床版ユニット
４ｂ  最後尾のＰＣ床版ユニット
４ｃ  新たに接合されるＰＣ床版ユニット
５  引止めワイヤ
５ａ  第１の引止めワイヤ
５ｂ  第２の引止めワイヤ
５ｃ  第３の引止めワイヤ
６  送出しワイヤ
６ａ  第１の送出しワイヤ
６ｂ  第２の送出しワイヤ
７  接合されたＰＣ床版ユニット全体
８  足場、仮置き場
９  巻き取りコイル
１０  巻き出しコイル
１１  ユニット本体
１２    凹溝
１３  固定用治具
１４  架設用治具
１５  滑車
１６  固定板
１７  調整ナット
１８  接合キー
１８ａ  オス型キー
１８ｂ  メス型キー
１９  連結ボルト
１９ａ  支圧板
２０  スリーブ
２１  孔
２２  ナット
２３  シース管
２４  設置孔
２５  ＰＣワイヤ
２６  支持ブロック
２７  支持板
２８  支持ロッド
２９ａ  フック
２９ｂ  フック
２９ｃ  フック
２９ｄ  フック
２９ｅ  フック
２９ｆ  フック
３０  吊り治具
５１  一方の橋台
５２  他方の橋台
５３  ケーブル
５４  ＰＣ床版ユニット
５４ａ  先頭のＰＣ床版ユニット
５４ｂ  最後尾のＰＣ床版ユニット
５５  引止めワイヤ
５６  送出しワイヤ
５７  接合されたＰＣ床版ユニット全体
【図１】
0004352202.tif 000002
【図２】
0004352202.tif 000003
【図３】
0004352202.tif 000004
【図４】
0004352202.tif 000005
【図５】
0004352202.tif 000006